(57)【要約】      （修正有）【課題】スマートフォン、タブレット型端末を片手で安定して支持・操作することのできる携帯機器用把持具を提供する。【解決手段】携帯機器用把持具は、両面粘着材１２により携帯機器に取り付けられる本体部１３と、両端が本体部と接続された伸縮性を有する矩形状の把持部とから構成される環状帯バンド１０と、を備え、把持部は、両端の一方に開口を有する。また把持部は、両端の他方にリング状の指挿入孔１５を有する。さらに本体部を補強する補強板１１を有する。【選択図】図３
0003186332.tif 000002
【実用新案登録請求の範囲】
【請求項１】
携帯機器に取り付けられる本体部と、両端が前記本体部と接続された伸縮性を有する矩形状の把持部とから構成される環状帯バンドと、
を備え、
前記把持部は、
前記両端の一方に開口を有することを特徴とする携帯機器用把持具。
【請求項２】
前記把持部は、
前記両端の他方にリング状の指挿入孔が形成されていることを特徴とする請求項１記載の携帯機器用把持具。
【請求項３】
前記本体部を補強する補強板をさらに有することを特徴とする請求項１又は請求項２記載の携帯機器用把持具。
【請求項４】
前記補強板は、磁性体からなることを特徴とする請求項３記載の携帯機器用把持具。
【請求項５】
前記本体部は、
前記携帯機器に取り付けるための粘着層を有することを特徴とする請求項１乃至請求項３いずれか１項記載の携帯機器用把持具。
【考案の詳細な説明】
【技術分野】
【０００１】  本考案は、スマートフォン、タブレット型端末等の携帯機器に装着して使用する携帯機器用把持具に関する。
【背景技術】
【０００２】  近年、スマートフォン、タブレット型端末等の携帯機器が広く普及している。これら携帯機器は、パーソナルコンピューターの技術をベースに製造されており、カメラ、ゲームソフトをはじめとする様々なアプリケーション機能を搭載している。このため、通信手段としてのみならず利用価値及び使用頻度は非常に高い。そして、従来の携帯電話と比較して扱う情報量が多く、視認性を向上するためにその分画面サイズが大きく、重量も増えている。【０００３】  従来の携帯電話が４本の指で背面側から包持しつつ、親指で操作していたのに対して、スマートフォン、タブレット型端末等の携帯機器においては、サイズ及び重量が大きいために一方の手で携帯機器の背面部を支持しつつ、他方の手の指で前面のタッチパネルを操作するようにしている。また、不安定ながらも従来の携帯電話と同じ方法で支持・操作をするか、場合によっては親指・人差し指以外の３本の指で支持し、残り２本の指で拡大・縮小の操作をする場合もある。【０００４】  また、これら携帯機器には、カメラを備えていることがほとんどであり、このカメラは、デジタルカメラの代用として必要十分な機能を有している場合が多い。そして、このカメラで被写体を撮影する場合、片手で支持しながら、その指でシャッターボタンのアイコンを操作することは非常に難しく、手振れにより安定して写真撮影が出来ないことが多い。また、ゲームをする場合には、一方の手の親指で画面上のゲーム操作用アイコンを押したり、スマートフォン本体を揺らす等の動力を付与して使うこともあるため、もう一方の片手でスマートフォンを押さえていないと、手から滑り落ちる恐れがある。【０００５】  以上のように、マートフォン、タブレット型端末等の場合、上記いずれの操作をする場合でも、鞄を持っていたり、つり革に掴まっていたりと、一方の手が塞がっている場合には、片手で不安定な状態で操作を行う必要がある。また、状況によっては、操作ができない場合がある。【０００６】  上記のような諸事情を考慮して、マートフォン、タブレット型端末等の携帯機器の落下を防止するとともに、片手で持った状態で安定した操作ができるように、リングの付いた基板をスマートフォンの背面に接着し、指を挿入してスマートフォンを保持するためのものが提案されている（例えば、非特許文献１参照）。しかし、非特許文献１で提案される考案は、基板からリングを起こすという予備動作が必要な事と、机上面に置いた状態で操作をする場合、リングが突出しているため携帯機器を一点で支えることになる。このため、携帯機器が安定せず操作し難いという問題がある。
【先行技術文献】
【０００７】
【非特許文献１】「サンワダイレクトホームページ」、［ｏｎｌｉｎｅ］、バンカーリング、［平成２５年６月１４日検索］、インターネット＜ｈｔｔｐ：／／ｄｉｒｅｃｔ．ｓａｎｗａ．ｃｏ．ｊｐ／ＩｔｅｍＰａｇｅ／２００−ＩＰＰ０１４ＢＫ．０２４００２０７３００１＞
【考案の概要】
【考案が解決しようとする課題】
【０００８】  本考案は上記のような問題点を解決するためになされたもので、スマートフォンやタブレット型端末等の携帯機器に装着して、安定して支持・操作することのできる携帯機器用把持具を提供することを目的とする。
【課題を解決するための手段】
【０００９】  本考案の携帯機器用把持具は、携帯機器に取り付けられる本体部と、両端が前記本体部と接続された伸縮性を有する矩形状の把持部とから構成される環状帯バンドと、を備え、前記把持部は、前記両端の一方に開口を有することを特徴とする。
【考案の効果】
【００１０】  スマートフォンやタブレット型端末等を安定して支持・操作することのできる携帯機器用把持具を提供することができる。
【図面の簡単な説明】
【００１１】
【図１】本考案に係る携帯機器用把持具の斜視図である。
【図２】本考案に係る携帯機器用把持具の背面からの斜視図である。
【図３】本考案に係る携帯機器用把持具の分解斜視図である。
【図４】本考案に係る携帯機器用把持具の平面図である。
【図５】本考案に係る携帯機器用把持具の側面図である。
【図６】図４に示すＡ−Ａ断面図である。
【図７】本考案に係る携帯機器用把持具の正面図である。
【図８】本考案に係る携帯機器用把持具を携帯端末に装着し、机上面に置いた側面図である。
【図９】本考案に係る携帯機器用把持具の使用例１を示す図である。
【図１０】本考案に係る携帯機器用把持具の使用例２を示す図である。
【図１１】本考案に係る携帯機器用把持具の使用例２を示す図である。
【図１２】本考案に係る携帯機器用把持具の使用例３を示す図である。
【図１３】図１２の側面図である。
【図１４】本考案に係る携帯機器用把持具の使用例４を示す図である。
【図１５】図１２の平面図である。
【考案を実施するための形態】
【００１２】  図１は、本考案に係る携帯機器用把持具１（以下、単に把持具１と記載する）を示す斜視図である。図２は背面側からの斜視図である。図３は把持具１の分解斜視図である。本考案の把持具１は、シリコンゴム等の柔軟性を有し、且つ伸縮性を有する山型形状であり且つ環状帯を成すバンド部１０の内側底面１３に、剛性を持つ鋼板等を使用したベース部１１（補強板）を密着させるように嵌装するものである。両面粘着材１２をバンド部１０の開口部１４を通してベース部１１の片面に貼り付けており、もう一方の面を携帯機器の筐体裏面Ｃに貼り付けることにより、ベース部１１と携帯機器Ｃの筐体裏面（図８参照）で挟み込むことでバンド部１０を係止する。上記の構造は、シリコンゴム等の素材を使用したバンド部１０に直接両面粘着材１２を貼り付けた場合、接着性が低いことが懸念され、より接着性の高いベース部１１を介在させることにより、バンド部１０の形状を安定して保持する為である。よって必要十分な接着強度があればベース部１１は無くても良い。バンド部１０に設けた開口部１４も上記の理由によるでもある。ベース部１１を用いる場合には剛性を有して且つ磁性体を有する鋼板が好ましい。壁面等の垂直面に磁石を用いれば取り付けも可能な為である。
【００１３】  図４から図６は、それぞれ本考案に係る把持具１の平面図、側面図及びＡ−Ａ断面図である。本考案の把持具１では平面図でＸ方向に手足を伸ばした人型の形状をしており、側面図では山型形状であり且つ環状帯を成している。バンド部１０内を広く取ることによって、指の挿入場所を特定せず、容易に挿入が可能な形状になっている。また、Ｘ方向に手足を伸ばした人型の形状とすることで縦横２方向からの挿入が可能となっている。
【００１４】  これは、使用頻度の高いインターネット、メール等では縦にして使用する場合が多く、その場合、使用頻度が高いことから、携帯機器を支持するまでの動作として、ストレスを感じる余分な作業を必要とせず、且つ速やかに指を挿入できることが求められる。本考案の把持具１の形状はその点を解決する為の形状となっている。
【００１５】  図７は本考案に係る把持具１の正面図である。把持具１の両足に当る部位１６の間からの指の挿入が可能であり、側面図に示す山型形状であり且つ環状帯に対しては開口部を狭くしている。これはバンド部１０が指に確実に密着するようするためのものである。理由としては、カメラ撮影、ゲーム等では横にして使用する場合が多く、縦にして使用する場合は手の平と手の指で包持するが、横にして使用する場合はそれが難しく、親指とそれ以外の指で表裏から挟みこむ形で支持しなければならない。片手で操作するにはより不安定な状態である。したがって片手で操作する為には、より確実に支持できることが求められる。本考案の把持具１の形状はその点を考慮した形状となっている。
【００１６】  本考案に係る把持具１は装飾体としての機能を併せ持たせる為に人型の形状をしており、頭部１５は円形の開口部にキーリング等を係合させる、指を挿入して携帯端末自体を持ち歩く等の付加機能を合わせ持つ。
【００１７】  図８は本考案に係る把持具１を携帯端末Ｃに装着し、机上面に置いた側面図である。人型形状である把持具１の両足に当る部位１６の端部は、キャタピラのような動きで変形できる形状となっており携帯端末Ｃの自重により変形し、平らな状態になることができる。これにより机上面に置いた場合でも安定した操作が可能となる。
【００１８】  図９は本考案に係る把持具１の使用例１を示す図である。２本の指を挿入して支持することを図示しているが、指の太さ、長さ等には個人差があることから、緩い場合にはバンド内で２本の指を広げて支持しても良いし、残りの指でバンド部１０を外から挟みこんで支持しても良い。または指を１本挿入して指の残りの指でバンド部１０を外から挟みこんで支持しても良い。シリコンゴム等の柔軟性を有し、且つ伸縮性を有する素材を用いることによって支持方法は上記以外にも考えられる。
【００１９】  図１０、図１１は本考案に係る把持具１の使用例２を示す図である。１本の指を挿入して支持することを図示しているが、挿入した指を把持具１内に留めたまま、残りの指でバンド部１０を外から挟みこんで支持しても良いし、把持具１の外まで挿通して残りの指でバンド部１０を外から挟みこんで支持しても良い。シリコンゴム等の柔軟性を有し、且つ伸縮性を有する素材を用いることによって支持方法は上記以外にも考えられる。
【００２０】  図１２、図１３は本考案に係る把持具１の使用例３を示す図である。シリコンゴム等の柔軟性・伸縮性を有する素材を使用することにより、指以外の物に携帯端末Ｃを支持させることが可能である。把持具１の両足に当る部位１６を伸縮させて携帯端末Ｃを縦にした状態で市販されているペットボトルＤに挟みつけることが可能である。
【００２１】  図１４、図１５は本考案に係る把持具１の使用例４を示す図である。シリコンゴム等の柔軟性・伸縮性を有する素材を使用することにより、指以外の物に携帯端末Ｃを支持させることが可能である。山型形状であり且つ環状帯を成すバンド部１０を伸縮させて携帯端末Ｃを横にした状態で市販されているペットボトルＤに挟みつけることが可能である。写真撮影時の簡易三脚としての利用、動画鑑賞用のスタンドとしての利用、さらにはペットボトルＤと一緒に車内のドリンクホルダーに設置することにより、カーナビとしての代用も可能となる。
【符号の説明】
【００２２】１      携帯機器用把持具１
１０    バンド部
１１    ベース部
１２    両面粘着材
１３    内側底面
１４    開口部
１５    頭部
１６    両足に当る部位
Ｃ      携帯端末
Ｄ      ペットボトル
【図１】
0003186332.tif 000003
【図２】
0003186332.tif 000004
【図３】
0003186332.tif 000005
【図４】
0003186332.tif 000006
【図５】
0003186332.tif 000007
【図６】
0003186332.tif 000008
【図７】
0003186332.tif 000009
【図８】
0003186332.tif 000010
【図９】
0003186332.tif 000011
【図１０】
0003186332.tif 000012
【図１１】
0003186332.tif 000013
【図１２】
0003186332.tif 000014
【図１３】
0003186332.tif 000015
【図１４】
0003186332.tif 000016
【図１５】
0003186332.tif 000017